(57)【要約】【課題】様々な患者の症状に対応することができ、治療に歯科医の判断を反映させることを可能とすることで、患者に最適な歯科用補綴物が作製可能な歯科用補綴物作製支援装置およびプログラムを提供する。【解決手段】ブラウザが動作する歯科医用コンピュータであるクライアント２０ａとインターネットＮを介して接続される歯科用補綴物作製支援サーバ１０とを備え、歯科用補綴物作製支援サーバ１０は、患者画像データを含む操作画面をクライアント２０ａのブラウザに表示させる。歯科用補綴物作製支援サーバ１０は、操作画面により患者画像データに重ねて入力された歯科用補綴物を模した歯牙パターンと歯科用補綴物の色調に関する文字情報とを、歯科用補綴物画像データとして生成するようクライアント２０ａのブラウザを動作させる。そして歯科用補綴物作製支援サーバ１０は、歯科用補綴物画像データとして生成された患者画像データを受信して登録する。【選択図】図１
2007209473.tif 000002
【特許請求の範囲】
【請求項１】
歯科用補綴物が必要な歯牙の状態を撮像した患者画像データを表示するブラウザが動作する歯科医用コンピュータとネットワークを介して接続される歯科用補綴物作製支援装置であって、
前記歯科医用コンピュータから送信された前記患者画像データを記憶する記憶部と、
前記患者画像データを含む操作画面を前記ブラウザに表示させ、前記操作画面により前記患者画像データに重ねて入力された前記歯科用補綴物を模した歯牙パターンおよび前記歯科用補綴物の色調に関する文字情報を歯科用補綴物画像データとして生成するよう前記ブラウザを動作させ、前記歯科用補綴物画像データとして生成された患者画像データを受信して前記記憶部に登録するブラウザ制御部とを備えたことを特徴とする歯科用補綴物作製支援装置。
【請求項２】
前記ブラウザ制御部は、前記歯牙パターンとして、色の境界を示す区分線を１本以上設けたパターンを生成するよう前記ブラウザを動作させる機能を備えたことを特徴とする請求項１記載の歯科用補綴物作製支援装置。
【請求項３】
前記ブラウザ制御部は、前記操作画面を操作することで、前記ブラウザに表示された患者画像データに重ねて、長さが調整自在な直線パターンを配置自在に生成するよう前記ブラウザを動作させる機能を備えたことを特徴とする請求項１または２記載の歯科用補綴物作製支援装置。
【請求項４】
前記ブラウザ制御部は、前記操作画面を操作することで、前記歯牙パターンの大きさ、または角度を調整自在とするように前記ブラウザを動作させる機能を備えたことを特徴とする請求項１から３のいずれかに記載の歯科用補綴物作製支援装置。
【請求項５】
前記ブラウザ制御部は、前記歯科医用コンピュータから前記歯科用補綴物画像データとして生成された患者画像データを受信して、前記ネットワークに接続された歯科技工士用コンピュータで動作するブラウザに、操作画面と共に表示させ、前記歯科技工士用コンピュータで動作するブラウザの操作画面により入力された歯科用補綴物画像データとして生成された患者画像データを、前記歯科医用コンピュータに送信する機能を備えたことを特徴とする１から４のいずれかの項に記載の歯科用補綴物作製支援装置。
【請求項６】
コンピュータを、前記請求項１から５のいずれかの項に記載の歯科用補綴物作製支援装置として機能させるためのプログラム。
【発明の詳細な説明】
【技術分野】
【０００１】
本発明は、歯科用補綴物が必要な歯牙の状態を撮像した画像データを表示するブラウザが動作する歯科医用コンピュータとネットワークを介して接続される歯科用補綴物作製支援装置に関する。
【背景技術】
【０００２】
歯科用補綴物は、治療が必要な歯と合致した形状とすることは元より、色も治療が必要な歯だけでなく隣在歯とも調和させる必要がある。しかし歯科医と遠方にいる歯科技工士との間で、電話やファクシミリなどだけでやり取りしても、治療が必要な歯の微妙な色調まで再現することが、困難な場合がある。そのような場合には、歯科技工士かまたはその代わりの者がわざわざ歯科医のところまで出向いて打ち合わせを行うことが、度々行われている。近年、ネットワークの一例であるインターネットの普及で、画像データの送受信が遠方にいても容易になった。このインターネットを利用すれば、例えば患者の歯をデジタルカメラなどで撮像し、撮像した画像データを電子メールの添付ファイルなどで歯科技工士の元へ送信することで、歯科医と歯科技工士とが離れていても、実際の患者の歯の状態を観察することは可能である。しかし、デジタルカメラの機種の違いや、撮像環境によっては同じ色であっても異なる色に見えることがある。そうなると作製した歯科用補綴物を歯科医の元へ配送して、患者に取り付ける段階で、初めて色が異なることが判明するので、再度作製し直しという事態となる。
【０００３】
このような事態を回避するための技術として特許文献１に記載されたものがある。この特許文献１に記載の歯牙材料色調選択支援プログラムおよび歯牙材料色調選択支援方法は、複数の歯牙基準色の識別情報データとその歯牙基準色の色調情報データとが対応したデータテーブルをコンピュータに予め記憶させ、歯牙または隣在歯と歯牙基準色の色調を有する基準具とを同時に撮影した画像データを入力し、画像データ内で分析された基準具の歯牙基準色と、その歯牙基準色とが一致した色調補正値を算出して歯牙又は隣在歯の色調を補正し、補正された色調の色調情報データと一致した色調情報データの歯牙基準色の識別情報データをデータテーブルから抽出し出力することで、作製しようとする歯牙補綴物の歯牙、または隣在歯の色調と最も調和の取れた色調の歯牙材料を選択決定することを可能とするものである。
【０００４】
【特許文献１】特開２００５−１７６９１５号公報
【発明の開示】
【発明が解決しようとする課題】
【０００５】
しかし、特許文献１に記載の歯牙材料色調選択支援プログラムおよび歯牙材料色調選択支援方法では、予め基準具の歯牙基準色の設定を識別情報データとして入力しておかなければならないので煩雑である。また、一度、基準具の歯牙基準色の識別情報データを入力しておけば、次からは入力処理する手間が省けるので、いつも同じ基準具を使用することを推奨しているが、患者によっては歯科用補綴物の形状や色調などが様々であるので、いつも同じ基準具を使用することは困難である。また、隣在歯や歯列の状態などから歯科医が判断する歯科用補綴物の色調は、必ずしも隣在歯と同じ色調とは限らないので、隣在歯の色調を分析して数値化することで色調補正値を算出しているのでは、歯科医の判断を反映させるのが困難である。
【０００６】
そこで本発明の目的は、様々な患者の症状に対応することができ、治療に歯科医の判断を反映させることを可能とすることで、患者に最適な歯科用補綴物が作製可能な歯科用補綴物作製支援装置およびプログラムを提供することにある。
【課題を解決するための手段】
【０００７】
本発明の歯科用補綴物作製支援装置は、歯科用補綴物が必要な歯牙の状態を撮像した患者画像データを表示するブラウザが動作する歯科医用コンピュータとネットワークを介して接続される歯科用補綴物作製支援装置であって、前記歯科医用コンピュータから送信された前記患者画像データを記憶する記憶部と、前記患者画像データを含む操作画面を前記ブラウザに表示させ、前記操作画面により前記患者画像データに重ねて入力された前記歯科用補綴物を模した歯牙パターンおよび前記歯科用補綴物の色調に関する文字情報を歯科用補綴物画像データとして生成するよう前記ブラウザを動作させ、前記歯科用補綴物画像データとして生成された患者画像データを受信して前記記憶部に登録するブラウザ制御部とを備えたことを特徴とする。
【０００８】
本発明の歯科用補綴物作製支援装置は、ネットワークを介して歯科医用コンピュータと接続されている。この歯科医用コンピュータでは、ブラウザが動作している。ブラウザ制御部は、歯科用補綴物が必要な歯牙を含む患者の歯列状態を撮像した患者画像データを含む操作画面を送信してブラウザに表示させる。ブラウザ制御部は、操作画面により患者画像データに重ねて入力された歯科用補綴物を模した歯牙パターンおよび歯科用補綴物の色調に関する文字情報を歯科用補綴物画像データとして生成するようブラウザを動作させる。ブラウザ制御部は、歯科用補綴物画像データとして生成された患者画像データを受信して記憶部に登録する。つまり歯科医がブラウザの操作画面を操作して、表示されている患者の歯牙の状態を見ながら治療の必要な歯牙の画像に重ねて歯牙パターンを入力することで、記憶部に歯科用補綴物画像データとして登録されるので、歯科技工士が歯科用補綴物画像データを参照することで、歯科用補綴物が必要な歯牙の位置や形状（状態）を判別することができる。また歯科用補綴物画像データには、その歯科用補綴物の色調に関する文字情報が入力されているので、歯科用補綴物の微妙な色調の指定や、撮像環境によって変わる色の違いなどを歯科医が文字で直接色調に関する情報として入力することができる。従って、歯科医と歯科技工士との間で、色調の取り違いや誤解が発生することが防止できる。
【０００９】
前記ブラウザ制御部は、前記歯牙パターンとして、色の境界を示す区分線を１本以上設けたパターンを生成するよう前記ブラウザを動作させることが望ましい。歯科医は、作製しようとする歯科用補綴物に複数色の色を指定するときに、その色の境界に合わせて、区分線が１本以上設けられた歯牙パターンを患者画像データに重ねて入力する。例えば区分線が１本であれば２つの異なる領域を指定することができ、２本であれば３つの異なる領域を指定することができる。従って、その歯牙パターンの各領域に応じて文字情報を入力すれば、段階的に変化する歯科用補綴物の表面の色調を、極め細やかに表現することができる。
【００１０】
前記ブラウザ制御部は、前記操作画面を操作することで、前記ブラウザに表示された患者画像データに重ねて、長さが調整自在な直線パターンを配置自在に生成するよう前記ブラウザを動作させることが望ましい。歯科用補綴物の表面の色調が予め準備された歯牙パターンにないときには歯牙パターンに直線パターンを追加したり、歯並びや噛み合わせ位置を表現するときには患者画像データの歯列に沿って直線パターンを追加したりすることで、更に歯科医が伝えようとする歯科用補綴物の色調や形状を正確に歯科技工士に伝達させることができる。
【００１１】
前記ブラウザ制御部は、前記操作画面を操作することで、前記歯牙パターンの大きさ、または角度を調整自在とするように前記ブラウザを動作させることが望ましい。歯科医が治療の必要な歯牙に重ねて歯牙パターンの大きさや角度を調整して入力することで、治療が必要な歯牙により近い歯牙パターンとすることができるので、歯科技工士が作製する歯科用補綴物のイメージを把握しやすい。
【００１２】
前記ブラウザ制御部は、前記歯科医用コンピュータから前記歯科用補綴物画像データとして生成された患者画像データを受信して、前記ネットワークに接続された歯科技工士用コンピュータで動作するブラウザに、操作画面と共に表示させ、前記歯科技工士用コンピュータで動作するブラウザの操作画面により入力された歯科用補綴物画像データとして生成された患者画像データを、前記歯科医用コンピュータに送信する機能を備えるのが望ましい。ブラウザ制御部が、歯科技工士用コンピュータで動作するブラウザに操作画面と共に歯科医用コンピュータからの歯科用補綴物画像データとして生成された患者画像データを受信して表示する。そして、ブラウザ制御部が、歯科技工士用コンピュータで動作するブラウザの操作画面により入力された歯科用補綴物画像データとして生成された患者画像データを、歯科医用コンピュータに送信する。つまり、歯科医用コンピュータで作成された補綴物画像データが歯科技工士用コンピュータへ本発明の歯科用補綴物作製支援装置を介して送信され、歯科技工士用コンピュータで変更や修正をした補綴物画像データが本発明の歯科用補綴物作製支援装置を介して送信される。従って、ネットワークを介して歯科医と歯科技工士とが共通した患者画像データを操作しながら歯科用補綴物の形状や色などの選択を行うことができるので、歯科用補綴物を作製するに当たって、より確実に歯科医の意志を歯科技工士に伝達することができる。
【発明の効果】
【００１３】
歯科医がブラウザの操作画面を操作して、表示されている患者の状態を見ながら治療の必要な歯牙の画像に重ねて歯牙パターンを入力し、歯科用補綴物の色調に関する文字情報を入力することで、歯科用補綴物の形状や微妙な色調の指定や、撮像環境によって変わる色の違いなどを歯科医が文字で直接色調に関する情報として入力することができるので、様々な患者の症状に対応することができ、治療に歯科医の判断を反映させることができる。よって、歯科医と歯科技工士との間で、色調の取り違いや誤解が発生することが防止できると共に、患者に最適な歯科用補綴物が作製可能である。
【発明を実施するための最良の形態】
【００１４】
本発明の実施の形態に係る歯科用補綴物作製支援装置を図面に基づいて説明する。まずは、歯科用補綴物支援装置を用いた歯科用補綴物作製支援システム全体について、図１に基づいて説明する。図１は、本発明の実施の形態に係る歯科用補綴物作製支援システム全体を示す図である。
【００１５】
図１に示すように、歯科用補綴物作製支援システム１は、補綴物作製支援サーバ１０と、クライアント２０とを備えている。補綴物作製支援サーバ１０は、歯科技工士Ｍ１が作業する場所または歯科技工士Ｍ１の勤務先などのサーバ室Ｓ１などに設置されている。クライアント２０ａ〜２０ｄは、歯科医Ｄ１〜Ｄ３がいる歯科医院Ｃ１〜Ｃ３に設置される他、補綴物作製支援サーバ１０が設置されているサーバ室Ｓ１にも設置されている。補綴物作製支援サーバ１０およびクライアント２０ａ〜２０ｄは、それぞれネットワークの一例であるインターネットＮに、アクセス可能に接続されている。
【００１６】
ここで、補綴物作製支援サーバ１０について、図２に基づいて詳細に説明する。図２は、本発明の実施の形態に係る補綴物作製支援サーバの構成を示す図である。
図２に示すように、補綴物作製支援サーバ１０は、クライアント２０からのＨＴＴＰ（HyperText Transfer Protocol）によるアクセスに応じてウェブページを提供する補綴物支援作製装置として機能するコンピュータである。このウェブページは、ＨＴＭＬ（HyperText Markup Language）で記述され、ＣＧＩ（Common Gateway Interface）やＦＬＡＳＨ（登録商標）などのファイルを含み、クライアント２０で実行されることで、クライアント２０で動作するブラウザを制御する機能を備えている。
【００１７】
補綴物作製支援サーバ１０は、インターネットＮとのデータの送受信を行う通信部１１と、患者画像データや、患者画像データに様々な情報が付加された歯科用補綴物画像データが登録される記憶部１２と、クライアント２０に表示されるウェブページを制御するブラウザ制御部１３とを備えている。
【００１８】
通信部１１は、インターネットＮを介して患者画像データの送受信を行うため、高速でデータの転送を行うことが可能なＬＡＮ（Local Area Network）とするのが望ましい。また、記憶部１２は、補綴物作製支援サーバ１０の電源が切断されてもデータの内容が残る不揮発性メモリであれば使用することができるが、ハードディスクドライブ装置とするのが、安価で大容量なので望ましい。この記憶部１２に、患者画像データだけでなく、この補綴物作製支援サーバ１０上で動作するＯＳ（Operating System）や、補綴物支援作製装置として機能させるための補綴物支援作製プログラムや、他のアプリケーションプログラムなどもインストールされている。ブラウザ制御部１３は、補綴物作製支援サーバ１０上で補綴物作製支援プログラムが動作することで、クライアント２０で動作するブラウザを制御する制御手段である。
【００１９】
補綴物支援作製プログラムは、ＣＤ−ＲＯＭ（Compact Disc-Read Only Memory）や、ＤＶＤ（Digital Versatile Disk）や、フレキシブルディスクなどの記録媒体で提供され、図示しない読み取り装置で読み取られ、インストーラによって記憶部１２にインストールされるアプリケーションソフトである。また、インターネットＮに接続されている他のサーバから通信部１１を介して補綴物支援作製プログラムをダウンロードすることでインストールすることも可能である。
【００２０】
また、補綴物作製支援サーバ１０には、表示装置３０と、入力装置４０とが接続されている。表示装置３０は、ＣＲＴ（Cathode Ray Tube）や、ＬＣＤ（Liquid Crystal Display）などのモニタ装置が使用できる。表示装置３０は、精細な画像表示を行う必要がないので解像度が低くてもよい。入力装置４０は、直接、キー入力可能なキーボードが使用できる。また操作性を向上するために、キーボートともに、ポインティングデバイスなどのマウス、ジョイスティック、トラックパッド、トラックボールなどや、タッチパネルなども併用するのが望ましい。この表示装置３０として高解像度のものを使用することで、歯科技工士用のクライアント２０ｄの代わりに、補綴物作製支援サーバ１０を使用することも可能である。
【００２１】
クライアント２０は、デスクトップ型あるいはノートブック型のパーソナルコンピュータを使用することが可能である。このクライアント２０としてのコンピュータは、インターネットＮと接続するための通信部と、ウェブページを表示する表示部と、キー入力可能なキーボートおよび表示部に表示されたウェブページを操作するポインティングデバイスなどの入力部とを備えると共に、コンピュータを管理するＯＳに、ウェブページが表示可能な閲覧ソフトであるブラウザなどのアプリケーションソフトを備えたものである。ブラウザとしては、インターネットエクスプローラ（Internet Explorer、登録商標）、ネットスケープナビゲイター（Netscape Navigator、登録商標）などが使用できるが、補綴物作製支援サーバ１０が提供するウェブページが表示できれば、他のブラウザとしてもよい。また、クライアント２０には、マイク、スピーカおよびカメラが設けられており、歯科技工士Ｍ１または歯科医Ｄ１〜Ｄ３は、このマイク、スピーカおよびカメラを通じて、映像を見ながら会話することが可能である。
【００２２】
以上のように構成される本発明の実施の形態に係る補綴物支援システムの動作を、更に図３から図１４を参照しながら説明する。図３は、クラアント２０ａでのログイン画面を示す図である。図４は、メインページＰ１を示す図である。図５は、画像登録ページＰ２を示す図である。図６は、共有ボードを示す図である。図７は、共有ボードの作成ツールを示す図である。図８は、１本の区分線で２分割された歯牙パターンを示す図である。図９は、歯牙パターンの拡大縮小ポイントを示す図である。図１０は、歯牙パターンの回転ポイントを示す図である。図１１は、２本の区分線で３分割された歯牙パターンを示す図である。図１２は、３本の区分線で４分割された歯牙パターンを示す図である。図１３および図１４は、区分線とした直線パターンを示す図である。図１５は、引き出し線とした直線パターンを示す図である。図１６は、歯式パターンを示す図である。なお本実施の形態では、歯科医Ｄ１が、歯科技工士Ｍ１とで話し合いながら、治療する患者の歯科用補綴物を作製するものとする。
【００２３】
まず歯科医Ｄ１が、治療している患者の歯牙状態を、デジタルカメラで撮像し、デジタルカメラからクライアント２０ａへ患者画像データとして転送する。そして、歯科医Ｄ１は、クライアント２０ａのブラウザから補綴物作製支援サーバ１０が提供するウェブページのＵＲＬ（Uniform Resource Locator）をアクセスする。
【００２４】
図３に示すように、クライアント２０ａからアクセスされた補綴物作製支援サーバ１０のブラウザ制御部１３は、誤ってアクセスされて操作されることを防止すると共に、アクセスした歯科医を特定するために、ユーザ名と、このユーザ名に対応するパスワードを要求するログイン表示ウィンドウをブラウザからポップアップさせて表示させる。
【００２５】
歯科医Ｄ１が、このログイン表示ウィンドウに予め割り振られたユーザ名とパスワードを入力して「ＯＫ」ボタンを押下することで、クライアント２０ａから入力したユーザ名とパスワードが補綴物作製支援サーバ１０へ送信される。
【００２６】
補綴物作製支援サーバ１０のブラウザ制御部１３は、記憶部１２に格納されたユーザ名およびパスワードと一致して承認が取れればログインを許可し、図４に示すような操作画面であるメインページＰ１をクライアント２０ａへ送信して、クライアント２０ａのブラウザに表示させる。このとき、補綴物作製支援サーバ１０は、患者画像データが記憶部１２に登録されていれば患者画像データも送信を行う。
【００２７】
図４に示すように、メインページＰ１としては、左側に配置されたメニュー部Ｐ１００と、中央部に配置された画像表示部Ｐ１１０と、右側に配置された画像切り替え部Ｐ１２０とがクライアント２０ａのブラウザに表示される。
【００２８】
メニュー部Ｐ１００は、「最新画像順」ボタンＰ１０１と、カレンダＰ１０２と、「画像の登録」ボタンＰ１０３と、電子メールソフトを起動する「電子メール」ボタンＰ１０４とを備えている。
【００２９】
「最新画像順」ボタンは、画像表示部Ｐ１１０に表示される患者画像データの表示順を、最近登録順に切り替えるボタンである。カレンダＰ１０２は、指定した日付を押下することで、画像表示部Ｐ１１０の表示を、指定した日に登録された患者画像データに切り替えることができる。「画像の登録」ボタンＰ１０３は、患者画像データの登録を行う際に押下するボタンである。ここで、患者画像データの登録について、図５に基づいて詳細に説明する。
【００３０】
図５に示すようにメインページＰ１の「画像の登録」ボタンＰ１０３を押下すると、画像登録ページＰ２が表示される。歯科医Ｄ１は、この画像登録ページＰ２で、デジタルカメラで撮像した患者の歯牙状態を示す患者画像データを、補綴物作製支援サーバ１０へ送信して登録する。
【００３１】
画像登録ページＰ２は、左側のメニュー部Ｐ１００をメインページＰ１の表示そのままに、画像ファイルパス入力領域Ｐ２０１と、タイトル入力領域Ｐ２０２と、コメント入力領域Ｐ２０３とが表示される。この画像ファイルパス入力領域Ｐ２０１に、患者画像データが格納されているクライアント２０ａのパスを入力する。そして、タイトル入力領域Ｐ２０２に、患者の名前などや治療名などをタイトルとして入力し、更に必要に応じてコメント入力領域Ｐ２０３にコメントを入力して、「送信」ボタンＰ２０４を押下することで、クライアント２０ａに格納された患者画像データが、タイトルおよびコメントの文字データと共に、インターネットＮを介して補綴物作製支援サーバ１０へアップロードされる。
【００３２】
補綴物作製支援サーバ１０のブラウザ制御部１３は、クライアント２０ａから送信された患者画像データを、通信部１１を介して受信し、記憶部１２にアップロード日付と関連付けられて格納される。この関連付けは、カレンダＰ１０２に反映される。歯科医Ｄ１は、このようにして患者画像データをアップロードして、補綴物作製支援サーバ１０に登録する。この患者画像データのアップロードによる登録で、画像表示部Ｐ１１０に歯牙画像として表示することができる。
【００３３】
図４に戻って、画像切り替え部Ｐ１２０は、「原寸」ボタンＰ１２１と、「返信」ボタンＰ１２２と、「共有ボード」ボタンＰ１２３とが表示されている。
「原寸」ボタンＰ１２１は、患者画像データの画像サイズによっては画像表示部Ｐ１１０に歯牙画像として表示したときに縮小されることがあるため、患者画像データを縮小せず、撮像された患者画像データの画像をそのままの状態で、ブラウザを別ウィンドウで起動して表示させるボタンである。「返信」ボタンＰ１２２は、歯科技工士Ｍ１が、歯科医Ｄ１に対してコメントを返信するときに使用するボタンである。「共有ボード」ボタンＰ１２３は、登録した患者画像データに重ねて歯科用補綴物に関する情報を付加して歯科用補綴物画像データを作成する共有ボートと称される画面へ遷移するボタンである。
【００３４】
歯科医Ｄ１は、患者画像データの登録を行うと、この「共有ボード」ボタンＰ１２３を押下して、この歯科用補綴物画像データを作成する共有ボードへ遷移する。この共有ボードは、メインページＰ１から別ウィンドウで起動され、歯科技工士Ｍ１も、歯科技工士用コンピュータであるクライアント２０ｄでログインして、この共有ボードＰ３にアクセスすることが可能である。つまり、この共有ボードは、歯科医Ｄ１と歯科技工士Ｍ１とが、共通した患者画像データを表示した歯牙画像を参照しながら、歯科用補綴物画像データを作成することができる画面である。
【００３５】
図６に示すように、共有ボードＰ３には、歯牙画像Ｐ３００と、歯牙画像の右側に配置された動画表示部Ｐ３１０と、歯牙画像の上側に配置された作成ツールＰ３２０とが表示されている。
動画表示部Ｐ３１０には、歯科技工士Ｍ１が使用するクライアント２０ｄからの送信された映像が表示される歯科技工士側表示部Ｐ３１１と、歯科医Ｄ１が使用するクライアント２０ａから送信された映像が表示される歯科医側表示部Ｐ３１２とが設けられている。この映像は、クライアント２０ａあるいはクライアント２０ｄから送信された映像データを、補綴物作製支援サーバ１０が中継して、それぞれクライアント２０ａまたはクライアント２０ｄへ配送されるものである。従って、クライアント２０ａおよびクライアント２０ｄには同じ画面が表示されている。歯科医Ｄ１は、共有ボードＰ３の歯牙画像Ｐ３００を参照しながら、歯科用補綴物を作製するための歯科用補綴物画像データを作成する。
【００３６】
ここで、共有ボードＰ３による歯科用補綴物画像データの作成方法について詳細に説明する。
図７に示すように、作成ツールＰ３２０は、色選択パレットＰ３２１と、図形シンボルアイコンＰ３２２とがあり、図形シンボルアイコンＰ３２２には、線ツールアイコンＰ３２３と、テキストツールＡアイコンＰ３２４と、テキストツールＢアイコンＰ３２５と、歯式ツールアイコンＰ３２６と、歯牙ツールＡアイコンＰ３２７と、歯牙ツールＢアイコンＰ３２８と、歯牙ツールＣアイコンＰ３２９とが設けられている。この作成ツールＰ３２０を使用して、患者画像データを表示した歯牙画像Ｐ３００に、様々な歯科用補綴物に関する情報を重ねて入力することで、歯科用補綴物画像データが作成される。
【００３７】
例えば、まず歯科医Ｄ１は、歯牙ツールＡアイコンＰ３２７をマウスでドラッグした状態で、歯牙が欠落した箇所に移動させてドロップする。そうすることで図８に示すように、ブラウザに表示されている共有ボードＰ３のＰ３００に、歯科用補綴物を模した歯牙パターンＰ３５１が表示される。この歯牙ツールＡアイコンＰ３２７による歯牙パターンＰ３５１は、１本の区分線により２分割されたパターンである。
【００３８】
この歯牙パターンＰ３５１の表示サイズを変更したい場合には、図９に示すようにマウスポイントを歯牙パターンＰ３５１の右側下端に移動させることで、逆Ｌ字状の拡大縮小ポイントＰ３５４が表示されるので、この拡大縮小ポイントＰ３５４をドラッグした状態でマウスポイントを移動させて、歯牙パターンＰ３５１の拡大または縮小を行う。また歯牙パターンＰ３５１の表示角度を変更したい場合には、図１０に示すようにマウスポイントを歯牙パターンＰ３５１の右側中央に移動させることで、円形状の回転ポイントＰ３５５が表示されるので、この回転ポイントＰ３５５をドラッグした状態でマウスポイントを移動させて、歯牙パターンＰ３５１の回転を行う。このようにして、歯牙パターンＰ３５１を作製する歯科用補綴物のサイズに合致した大きさおよび角度に調整することができる。
【００３９】
歯科用補綴物を模した歯牙パターンＰ３５１では、１本の区分線により２分割されたパターンであるので、隣在歯の色調が２段階で、その色調に合った歯科用補綴物を作製するような場合に好適である。例えば、色調が３段階となるような場合には、歯牙ツールＢアイコンＰ３２８をマウスでドラッグした状態で、歯牙が欠落した箇所に移動させてドロップする。そうすることで図１１に示すようにブラウザに表示されている共有ボードＰ３のＰ３００に、２本の区分線により３分割された歯牙パターンＰ３５２を表示させることができる。同様に、歯牙ツールＣアイコンＰ３２９を用いると、図１２に示すように、３本の区分線により４分割された歯牙パターンＰ３５３を表示されることができる。
【００４０】
歯牙パターンＰ３５１〜Ｐ３５３は、予め定められた位置に区分線が設けられたパターンである。従って、色調の境界が予め定められた位置と異なる場合には、新たに区分線を入力することで、色調が変化する位置の指定を任意の場所とすることも可能である。例えば、図１３に示すように、歯牙パターンＰ３５２に区分線を追加して入力する場合には、まず線ツールアイコンＰ３２３をドラックした状態で歯牙画像Ｐ３００上まで移動させてドロップすることで、所定長さの直線パターンＰ３５６が表示される。次に、その直線パターンＰ３５６の一方の端部をドラックして歯牙パターンＰ３５２上の色調が変化する位置まで移動する。そして、図１４に示すように、直線パターンＰ３５６の他方の端部をドラックして、同様に所望の位置まで移動することで３つに区分されていた歯牙パターンＰ３５２を、４つに区分された歯牙パターンとすることができる。従って、段階的に変化する色調を、極め細かに領域指定して表現することができる。
【００４１】
線ツールアイコンＰ３２３は、区部線として使用する以外に、引き出し線としても使用することができる。例えば、歯牙パターンＰ３５２の下部の色調が「Ａ２」であるときには、「Ａ２」の位置を示す引き出し線とすることができる。まずテキストツールＡアイコンＰ３２４をドラッグして所定位置でドロップする。ドロップすることでその位置にテキスト入力領域Ｐ３５７が作成されるので、キーボードから「Ａ２」などの入力を行う。そして線ツールアイコンＰ３２３をドラッグした状態でテキスト入力した位置まで移動させてドロップして直線パターンＰ３５６を表示させる。そして表示させた直線パターンの長さおよび位置を、一方の端部および他方の端部をそれぞれドラッグして移動しながら調整する。図１５に示すように、歯牙パターンＰ３５２の色調を示す直線パターンＰ３５６を引き出し線として作成することができる。このように歯牙パターンＰ３５２から色調を示すテキストを入力して直線パターンＰ３５６でその位置を示すことで、色調の取り違いや誤解が発生させることなく、正確に色調の指定を行うことができる。また直線パターンＰ３５６は、歯並びや噛み合わせを示す直線としても使用することができる。
【００４２】
色調の入力にテキストツールＡアイコンＰ３２４を使用したが、テキストツールＢアイコンＰ３２５を使用してもよい。テキストツールＡアイコンＰ３２４を用いると、背景が白色の矩形状の領域となるが、テキストツールＢアイコンＰ３２５を用いると文字背景がないため、背景である歯牙画像Ｐ３００とテキストとの区別がつきにくい場合にはテキストツールＡアイコンＰ３２４を用いるのが望ましい。
【００４３】
また、歯牙画像Ｐ３００に歯式を表示させることも可能である。そのときには、歯式ツールアイコンＰ３２６をドラッグして、歯牙画像Ｐ３００上でドロップする。そうすると図１６に示されるような歯式パターンＰ３５８が表示される。この歯式パターンＰ３５８は、数字をクリックすると、最初のクリックで数字に「○」が付加され、次のクリックで数字が「−」となり、もう一度クリックすることで元の数字の状態に復帰するように表示される。
【００４４】
このようにして歯科医Ｄ１が共有ボードＰ３を操作して、歯牙パターンＰ３５１〜Ｐ３５３や、直線パターンＰ３５６、およびテキストなどの様々な歯科用補綴物に関する情報を、歯牙画像Ｐ３００に重ねて入力することができる。このように重ねて入力された歯牙画像Ｐ３００は、入力される度にクライアント２０ａから歯科用補綴物画像データとして、補綴物作製支援サーバ１０へ送信される。補綴物作製支援サーバ１０のブラウザ制御部１３は、この歯科用補綴物画像データを受信すると、記憶部１２に格納すると共に、歯科技工士Ｍ１が使用するクライアント２０ｄへ送信する。
【００４５】
クライアント２０ｄのブラウザに表示されている共有ボードＰ３では、クライアント２０ａで、歯牙パターンＰ３５１〜Ｐ３５３や、直線パターンＰ３５６、およびテキストが入力する度に、送信される歯科用補綴物画像データが歯牙画像Ｐ３００として表示される。従って、歯科医Ｄ１が作成する歯科用補綴物画像データをリアルタイムに歯科技工士Ｍ１側で確認することができる。また、歯科技工士Ｍ１は、動画表示部Ｐ３１０で歯科医Ｄ１の映像と、マイクおよびスピーカによる歯科医Ｄ１との通話とで、色調の取り違いや誤解が発生することなく、より詳しい情報を歯科医Ｄ１から得ることができる。
【００４６】
そして、歯科技工士Ｍ１の共有ボードＰ３から入力された歯牙パターンＰ３５１〜Ｐ３５３や、直線パターンＰ３５６、およびテキストは、同様に補綴物作製支援サーバ１０を介して歯科医Ｄ１が使用するクライアント２０ａへ送信される。従って、様々な患者の症状に対応した歯科用補綴物を作製する元となる歯科用補綴物画像データを、歯科医Ｄ１と歯科技工士Ｍ１とが意志を疎通させ、歯科技工士Ｍ１が歯科医Ｄ１の判断を仰ぎながら共有ボードＰ３で作成することができる。
【００４７】
図６から図１６に示すように、共有ボードＰ３では、「閉じる」ボタンＰ３３０を押下することで、共有ボードＰ３のウィンドウが閉じる。本実施の形態では、歯科医Ｄ１と歯科技工士Ｍ１とが会話しながら歯科用補綴物を作製する元となる歯科用補綴物画像データを作成したが、歯科医Ｄ１が単独で作成した後に、歯科技工士Ｍ１が共有ボードＰ３を開き内容を確認することも可能である。
【産業上の利用可能性】
【００４８】
本発明は、歯科医の意志が歯科技工士に端的に伝わるので、歯科用補綴物の作製を支援する歯科用補綴物作製支援装置に好適である。
【図面の簡単な説明】
【００４９】
【図１】本発明の実施の形態に係る作製支援システム全体を示す図である。
【図２】本発明の実施の形態に係る補綴物作製支援サーバの構成を示す図である。
【図３】クラアントでのログイン画面を示す図である。
【図４】メインページＰ１を示す図である。
【図５】画像登録ページＰ２を示す図である。
【図６】共有ボードを示す図である。
【図７】共有ボードの作成ツールを示す図である。
【図８】１本の区分線で２分割された歯牙パターンを示す図である。
【図９】歯牙パターンの拡大縮小ポイントを示す図である。
【図１０】歯牙パターンの回転ポイントを示す図である。
【図１１】２本の区分線で３分割された歯牙パターンを示す図である。
【図１２】３本の区分線で４分割された歯牙パターンを示す図である。
【図１３】区分線とした直線パターンを示す図である。
【図１４】区分線とした直線パターンを示す図である。
【図１５】引き出し線とした直線パターンを示す図である。
【図１６】歯式パターンを示す図である。
【符号の説明】
【００５０】
１  歯科用補綴物作製支援システム
１０  補綴物作製支援サーバ
１１  通信部
１２  記憶部
１３  ブラウザ制御部
２０,２０ａ〜２０ｄ  クライアント
３０  表示装置
４０  入力装置
Ｐ１  メインページ
Ｐ１００  メニュー部
Ｐ１０１  「最新画像順」ボタン
Ｐ１０２  カレンダ
Ｐ１０３  「画像の登録」ボタン
Ｐ１０４  「電子メール」ボタン
Ｐ１２０  画像切り替え部
Ｐ１２１  「原寸」ボタン
Ｐ１２２  「返信」ボタン
Ｐ１２３  「共有ボード」ボタン
Ｐ２  画像登録ページ
Ｐ２０１  画像ファイルパス入力領域
Ｐ２０２  タイトル入力領域
Ｐ２０３  コメント入力領域
Ｐ２０４  「送信」ボタン
Ｐ３  共有ボード
Ｐ３００  歯牙画像
Ｐ３１０  動画表示部
Ｐ３１１  歯科技工士側表示部
Ｐ３１２  歯科医側表示部
Ｐ３２０  作成ツール
Ｐ３２１  色選択パレット
Ｐ３２２  図形シンボルアイコン
Ｐ３２３  線ツールアイコン
Ｐ３２４  テキストツールＡアイコン
Ｐ３２５  テキストツールＢアイコン
Ｐ３２６  歯式ツールアイコン
Ｐ３２７  歯牙ツールＡアイコン
Ｐ３２８  歯牙ツールＢアイコン
Ｐ３２９  歯牙ツールＣアイコン
Ｐ３３０  「閉じる」ボタン
Ｐ３５１，Ｐ３５２，Ｐ３５３  歯牙パターン
Ｐ３５４  拡大縮小ポイント
Ｐ３５５  回転ポイント
Ｐ３５６  直線パターン
Ｐ３５７  テキスト入力領域
Ｐ３５８  歯式パターン
【図１】
2007209473.tif 000003
【図２】
2007209473.tif 000004
【図３】
2007209473.tif 000005
【図４】
2007209473.tif 000006
【図５】
2007209473.tif 000007
【図６】
2007209473.tif 000008
【図７】
2007209473.tif 000009
【図８】
2007209473.tif 000010
【図９】
2007209473.tif 000011
【図１０】
2007209473.tif 000012
【図１１】
2007209473.tif 000013
【図１２】
2007209473.tif 000014
【図１３】
2007209473.tif 000015
【図１４】
2007209473.tif 000016
【図１５】
2007209473.tif 000017
【図１６】
2007209473.tif 000018